(57)【要約】【課題】使用に際して作業者が梯子をいちいち保持する必要がなく、それ自体でトラックの荷台端部やアオリの上端部等に保持させておくことのできる梯子装置を提供する。【解決手段】梯子２の上端部に踏み板３の一端部を連結金具４を介して折り畳み可能に連結し、この踏み板３の先端部にはトラックのアオリ１２等の被掛止部に掛止される掛止部材５を設ける。【選択図】図３
2006249871.tif 000002
【特許請求の範囲】
【請求項１】
梯子の上端部に踏み板の一端部を連結金具を介して折り畳み可能に連結し、この踏み板の先端部にはトラックのアオリ等の被掛止部に掛止される掛止部材を設けてなることを特徴とする梯子装置。
【請求項２】
梯子の上端部にはその一側又は両側に、踏み板の上方へ突出する手掛り棒を取り付けてなることを特徴とする請求項１に記載の梯子装置。
【請求項３】
掛止部材は、踏み板の先端部に一体的に設けられ、踏み板と平行に先方へ突出する上板部と、この上板部の先端から下向きに突出する掛止用板部とによってＬ字板状に形成されたものからなることを特徴とする請求項１又は２に記載の梯子装置。
【請求項４】
掛止部材は、踏み板の先端部の左右両側に設けられた左右一対の掛止フックからなるもので、各掛止フックは、踏み板の先端部から先方へ突出する上杆部とこの上杆部の先端から下向きに延設された掛止用杆部とによってＬ字状に形成されていることを特徴とする請求項１又は２に記載の梯子装置。
【請求項５】
前記各掛止フックは、踏み板の先端部からの突出長さを調整できるように踏み板に取り付けられていることを特徴とする請求項４に記載の梯子装置。
【請求項６】
梯子は、左右一対の側枠に複数の踏残を横架してなる梯子本体と、梯子本体の両側枠に伸縮可能に取り付けられ、ロック手段によって所要伸縮位置に固定可能な左右一対の伸縮脚と、両伸縮脚にスライド可能に取り付けられ、ロック手段によって所要スライド位置に固定可能な一つ又は複数の可動ステップと、からなる請求項１〜５の何れかに記載の梯子装置。
【発明の詳細な説明】
【技術分野】
【０００１】
本発明は、トラックへの荷物の積み下ろし時や作業台への昇り降り時などに使用される梯子装置に関するものである。
【背景技術】
【０００２】
従来、トラックに荷物を積み込む際に、トラックの荷台が高い場合や、荷台のアオリを立てたまま積み込み作業を行うような場合には、アオリを倒した荷台に梯子を立て掛け、あるいは立てたままのアオリに普通の作業用梯子を立て掛け、この梯子で昇り降りしながら積み込み作業をしているが、作業用梯子は、荷台の端部やアオリの上端部に立て掛けただけであるため、昇り降り時には梯子が倒れないように作業者の誰かが梯子を保持しなければならず、余分な手間が必要であった。
【発明の開示】
【発明が解決しようとする課題】
【０００３】
本発明は、上記の問題点に鑑み、使用に際して作業者が梯子をいちいち保持する必要がなく、それ自体でトラックのアオリ等に掛止して保持させておくことのできる梯子装置を提供することを目的とする。
【課題を解決するための手段】
【０００４】
上記課題を解決するための手段を、後述する実施形態の参照符号を付して説明すると、請求項１に係る発明は、梯子２の上端部に踏み板３の一端部を連結金具４を介して折り畳み可能に連結し、この踏み板３の先端部にはトラックＴのアオリ１２等の被掛止部に掛止される掛止部材５を設けてなることを特徴とする。
【０００５】
請求項２は、請求項１に記載の梯子装置において、梯子２の上端部にはその一側又は両側に、踏み板３の上方へ突出する手掛り棒６を取り付けてなることを特徴とする。
【０００６】
請求項３は、請求項１又は２に記載の梯子装置において、掛止部材５は、踏み板３の先端部に一体的に設けられ、踏み板３と平行に先方へ突出する上板部５ａと、この上板部５ａの先端から下向き突出する掛止用板部５ｂとによってＬ字板状に形成されたものからなることを特徴とする。
【０００７】
請求項４は、請求項１又は２に記載の梯子装置において、掛止部材５は、踏み板３の先端部の左右両側に設けられた左右一対の掛止フック１５，１５からなるもので、各掛止フック１５は、踏み板３の先端部から先方へ突出する上杆部１５ａとこの上杆部１５ａの先端から下向きに延設された掛止用杆部１５ｂとによってＬ字状に形成されていることを特徴とする。
【０００８】
請求項５は、請求項４に記載の梯子装置において、前記各掛止フック１５は、踏み板３の先端部からの突出長さを調整できるように踏み板３に取り付けられていることを特徴とする。
【０００９】
請求項６は、請求項１〜５の何れかに記載の梯子装置において、梯子２は、左右一対の側枠７，７に複数の踏残８を横架してなる梯子本体２ａと、梯子本体２ａの両側枠７，７に伸縮可能に取り付けられ、ロック手段Ｌ１によって所要伸縮位置に固定可能な左右一対の伸縮脚９，９と、両伸縮脚９，９にスライド可能に取り付けられ、ロック手段Ｌ２によって所要スライド位置に固定可能な一つ又は複数の可動ステップ２ｂと、からなることを特徴とする。
【発明の効果】
【００１０】
上記解決手段による発明の効果を、後述する実施形態の参照符号を付して説明すると、請求項１に係る発明によれば、踏み板３が水平に位置する状態で、掛止部材５を例えばトラックのアオリ１２等の被掛止部に掛止させることにより、梯子２は安定に保持された状態となり、従って誰かが保持してやる必要がなく、そのままの状態で昇降することができる。また、この梯子装置では、梯子２の上端部に踏み板３が設けてあるため、例えば梯子２を昇る時には、梯子２を昇り終えたところで、踏み板３の上に両足を置くことができ、トラックの荷台等の上に安全に乗り移ることができ、また梯子２を降りる時も一旦踏み板３に乗ることによって、安全に降りるこができる。
【００１１】
請求項２に係る発明によれば、梯子２の上端部に踏み板３の上方へ突出する手掛り棒６が取り付けてあるから、踏み板３の上で手掛り棒６に手を掛けることによって、踏み板３から荷台上への乗り移りや、踏み板３から下降をより一層安全に行うことができる。
【００１２】
請求項３に係る発明によれば、掛止部材５は、踏み板３と平行に先方へ突出する上板部５ａと、この上板部５ａの先端から下向きに突出する掛止用板部５ｂとによってＬ字板状に形成されているから、トラックＴのアオリ１２等の被掛止部に掛止させた時、掛止部材５とトラックＴの荷台との間に隙間がほとんどできず、使用時に靴等を引っ掛けるようなおそれがなく、使用上の一層の安全を図ることができる。
【００１３】
請求項４に係る発明によれば、掛止部材５は、左右一対の掛止フック１５，１５からなるもので、掛止フック１５は、踏み板３の先端部から先方へ突出する上杆部１５ａとこの上杆部１５ａの先端から下向きに延設された掛止用杆部１５ｂとによってＬ字状に形成されたものであるから、製作が簡単容易でコストを安くできる利点がある。
【００１４】
請求項５に係る発明によれば、各掛止フック１５は踏み板３の先端部からの突出長さを調整できるように踏み板３に取り付けてあるから、被掛止部への掛止具合を適宜に調整できると共に、被掛止部の厚みが相当厚い場合にも的確に掛止できる。
【００１５】
請求項６に係る発明によれば、梯子２は、左右一対の側枠７，７に踏残８を横架してなる梯子本体２ａと、梯子本体２ａの両側枠７，７に伸縮可能に取り付けられ、ロック手段Ｌ１で所要伸縮位置に固定可能な左右一対の伸縮脚９，９と、両伸縮脚９，９にスライド可能に取り付けられ、ロック手段Ｌ２で所要スライド位置に固定可能な一つ又は複数の可動ステップ２ｂとからなるため、例えば、トラックＴのアオリ１２を立てたままでアオリ１２の上端部１２ｂに掛止部材５を掛止させて使用する時に、地面Ｆからアオリ１２の上端までの高さが相当に高くなっても、またその高さがトラックの車種によって夫々異なっても、梯子２の伸縮脚９を伸長させることによって容易に対応することができる。また、可動ステップ２ｂを伸縮脚９，９に沿ってスライドさせることによって、踏杆１４の位置を任意の位置にセットできるから、伸縮脚９が長くなっても梯子２に乗り易く、使い勝手が良い。
【発明を実施するための最良の形態】
【００１６】
以下に本発明の実施形態について図面を参照しながら説明すると、先ず、図１の(a) は本発明の一実施形態である梯子装置１の側面図、(b) は平面図、図２の(a) は同梯子装置１の正面図、(b) は同梯子装置１を折り畳んだ状態の側面図である。この梯子装置１は、梯子２の上端部に踏み板３の一端部を連結金具４を介して折り畳み可能に連結し、この踏み板３の先端部には、トラックのアオリ等に掛止される掛止部材５を設けてなるもので、梯子２の上端部にはその両側に、踏み板３の上方へ突出する手掛り棒６，６が回転式取付金具１０を介して回転収納可能に取り付けられている。
【００１７】
上記梯子装置１の構造を更に詳細に説明すれば、梯子２は、図２の(a) に示すように、略々ハの字状に配置された一対の側枠７，７と、両側枠７，７間に横架された複数の踏杆８とからなるもので、各側枠７の下部には伸縮脚９が出退自在に設けられ、この伸縮脚９は周知のロック手段により所要伸縮位置に固定できるようになっている。
【００１８】
掛止部材５は、踏み板３の先端部に例えば溶接によって一体的に取り付けられ、この踏み板３と同じ幅で踏み板３の先方へ突出する上板部５ａと、この上板部５ａの先端から下向き直角に突出する掛止用板部５ｂとによってＬ字板状に形成されたもので、図１の(a)
の仮想線で示すようにトラックのアオリ１２の上端部に掛止されるようになっている。
【００１９】
踏み板３を梯子２に折り畳み可能に連結する連結金具４の構造について図１１によって説明する。尚、図１１は踏み板３を図２の(b) と同様に梯子２と対面するように折り畳んだ状態を示す。踏み板３側に固定される固定側連結板３１の外側に、梯子２側に固定される可動側連結板３２を一部重合させた状態で、これら固定側連結板３１と可動側連結板３２とを枢支軸３０によって回動可能に連結する。固定側連結板３１は、踏み板３の左右各端部にビスａ及びリベットｂで取り付けられるもので、取付部３１ａと取付部３１ｂとからなり、取付部３１ａの下端縁に当たり面３４が形成されると共に、この取付部３１ａの下端縁と取付部３１ｂの下端縁とが合流する部分には枢支軸３０が貫通する略Ｖ字状の枢支用突部３１ｃが形成されている。可動側連結板３２は、梯子２を形成する側枠７の上端部外側面にリベットｂで取り付けられるもので、取付部３２ａと略扇形の連結部３２ｂとからなり、取付部３２ａには、踏み板３の使用状態で固定側連結板３１の当たり面３４が当接してそれ以上の回動を阻止する当たり面３５が設けられ、扇形連結部３２ｂの中心部に枢支軸３０が貫通されている。
【００２０】
固定側連結板３１の取付部３１ａの下部には、枢支軸３０から斜め上方に適当距離をおいた位置にピン穴３６が形成され、このピン穴３６から可動側連結板３２に向けて突出するように付勢されたロックピン３３が踏み板３の一端側に配設され、可動側連結板３２の連結部３２ｂには踏み板３の使用位置と折畳位置とで夫々固定側連結板３１側のピン穴３６と合致してロックピン３３が突入係合する係合穴３７，３８が形成されている。ロックピン３３は、ピン本体３３ａと把手部３３ｂとで略Ｌ字状に形成されて、踏み板３４の一端部下面の両側対称位置に一対配設されたもので、各ロックピン３３のピン本体３３ａを踏み板３４の一端部下面のの凹条部３９に沿うように配置して、ブラインドリベットｂで取り付けたピン受け４０によって回転自在にして且つ軸方向移動自在に支持すると共に、ピン本体３３ａとピン受け４０との間に介装した圧縮コイルバネ４１によって、ピン本体３３ａをこれの先端部３３ｏが固定側連結板３１のピン穴３６から外方へ突出するように付勢している。
【００２１】
図１１のように踏み板３を折り畳んだ状態では、固定側連結板３１のピン穴３６を貫通したロックピン３３が圧縮コイルバネ４１により突出付勢されて可動側連結板３２の係合穴３８に突入係合することにより、踏み板３は折畳位置にロックされている。しかして、使用時に両側のロックピン３３，３３の把手部３３ｂ，３３ｂを掴んで対向方向に引き寄せると、各ロックピン３３が可動側連結板３２の係合穴３８から離脱してロックが解除され、踏み板３は、図１の(a) に示すような使用位置に開かれる。この使用状態になると、固定側連結板３１と可動側連結板３２との当たり面３４，３５が互いに当接すると共に、突出付勢されたロックピン３３の先端部３３ｏが可動側連結板３２の係合穴３７に突入係合して、その使用位置にロックされることになる。尚、この連結金具４は、梯子装置１の使用位置において、図１の(a) に示すように、接地面Ｆと梯子２との被掛止部側に傾斜する傾斜角度θが例えば７５°となるように設定されている。
【００２２】
梯子２の上端部には、手掛り棒６を取り付ける回転式取付金具１０と共に、手掛り棒６の回転軌跡を矯正する回転軌跡矯正手段４７が設けられている。これらの回転式取付金具１０及び回転軌跡矯正手段４７の構成について、図１２及び図１３を参照して説明する。図１２に示すように、梯子２の側枠７にケース状の固定ブラケット１０ａがビス５２で取り付けられ、また図１３の（ｂ）に示すように、手かがり棒６に同じくケース状の回動ブラケット１０ｂが固定ブラケット１０ａに対面してビス５２で取り付けられている。図１３の(a) に示すように固定ブラケット１０ａの回動ブラケット１０ｂとの対向壁５４は、下窄まり状に、即ち、上壁５５が幅広で下壁が幅狭５６で、この幅広上壁５５と幅狭下壁５６を結ぶ対向壁が側枠７の傾斜面に対して２．５°の傾斜角αＢの下窄まり傾斜壁５４に形成され、下窄まり傾斜壁５４の中央部に回転用枢軸５７が突設されている。回転用枢軸５７には抜け止め用鍔５８が設けてある。
【００２３】
従って、回転用枢軸５７も側枠７の傾斜面に対して２．５°の傾斜角度αＢに突設されている。そして図１３の(a) に示すように、固定ブラケット１０ａの上部側に上壁５５から傾斜壁５４にかけて上向きＵ字状の上部ロック孔５９が開設され、固定ブラケット１０ａの下部側に下壁５６から傾斜壁５４にかけて同じく下向きＵ字状１の下部ロック孔６０が開設されている。また固定ブラケット１０ａの内部には、回転用枢軸５７と同軸に回転ロック板６１が枢着され、ロック板６１の上下部には、夫々上部及び下部のロック爪６２，６３が形成され、ロック板６１の側方には解除レバー６４が固定ブラケット１０ａの側壁６５の長孔６６から突出して設けられ、常時はつる巻き状のロックばね６７の付勢力によって該回転ロック板２１の上下部両ロック爪６２，６３がそれぞれ上部ロック孔５９及び下部ロック孔６０内に突入して両ロック孔５９，６０の入口を塞ぐようになっており、ロックばね６７の付勢力に抗して解除レバー６４を長孔６６に沿って上方に移動させることによって、図１３の(c) の鎖線に示すように、両上下部ロック爪６２，６３は両上下部ロック孔５９，６０から後退し、ロック孔５９，６０の入口を開放する。
【００２４】
また回動ブラケット１０ｂの固定ブラケット１０ａとの対向壁６８は、図１３の(b) に示すように、上窄まり状に、即ち、上壁６９が幅狭で、下壁７０が幅広で、幅狭上壁６９と幅広下壁７０を結ぶ対向壁６８が側枠７の傾斜面に対して２．５°の傾斜角αｂの上窄まり傾斜壁６８に形成され、この上窄まり傾斜壁６８の中央部には、固定ブラケット１０ａに突設した回転用枢軸５７が嵌合枢支される縦長孔７１が穿設され、この縦長孔７１と同一上下線上には、固定ブラケット１０ａに穿設した上下部ロック孔５９，６０に嵌合ロックするロックピン７２が突設されている。このロックピン７２には抜け止め用鍔７３が設けてある。
【００２５】
従って、図２の(a) に示すように、一対の手掛り棒６，６を踏み板３より上方に突出した伸展状態とした時には、図１２の(a) に詳細に示すように、側枠７側の固定ブラケット１０ａの下窄まり傾斜壁５４と、この傾斜壁５４に突設した回転用枢軸５７が縦長孔７１に嵌合枢支されて、下窄まり傾斜壁５４に当接する手掛り棒６側の上窄まり傾斜壁６８とにおいて、前者の下窄まり傾斜壁５４の下窄まり傾斜角αＢが２．５°であり、これに対し後者の上窄まり傾斜角αｂが２．５°であるから、図１２の(a) から明らかなように、互いの傾斜角αＢ，αｂが相殺されて側枠７と手掛り棒６の基端部分６ａとは結果的に互いに平行に枢着された状態となり、これがために、基端部分６ａは、鉛直面Ｓに対して側枠７と同じ５°の傾斜角αａとなっており、これに対し上方部分６ｂは、折曲角度αａが５°であるから鉛直面Ｓ上に直立された状態となる。従って、作業者が踏み板３の上で手掛り棒６に手を掛ける時に安定よく手掛けすることができ、安全に作業を行うことができる。
【００２６】
これに対し、図２の(b) に示すように、手掛り棒６が側枠７に沿う折り畳み状態にあっては、図１２の(b) に詳細に示すように、側枠７側の固定ブラケット１０ａの下窄まり傾斜壁５４に対し、縦長孔７１に嵌合枢支された回転用枢軸５７を支点として手掛り棒６を、従って回動ブラケット１０ｂを１８０°回動させることによって、回動ブラケット１０ｂの傾斜壁６８は、固定ブラケット１０ａの下窄まり傾斜壁５４と同じ下窄まり傾斜壁となり、両者の傾斜角αＢ，αｂの合計は、当然に５°となり、手掛り棒６の回転軌跡が矯正されて、側枠７と手掛り棒６の基端部分６ａとは５°の傾斜角αａで枢着された状態となり、これに対し上方部分６ｂは、折曲角度αａが５°であるから側枠７に沿って折り畳まれることになる。従って、折り畳み時に手掛り棒６が嵩張ることがなく、しかも伸展状態から折り畳み状態に至るまで手掛り棒６を回動させるだけでよく、側枠７から取り外す必要がないから操作も容易である。尚、図１２中、６ｃは手掛り棒６の基端部側における折曲部を示す。
【００２７】
図１の(a) は手掛り棒６が踏み板３の上方へ突出した使用位置にある状態を示し、同図の(b) はこの使用位置から手掛り棒６を(a) に示す矢印Ｘ方向に回転させることによって側枠７の外側面と重なり合った収納位置にある状態を示している。尚、手掛り棒６は、片方の側枠７にのみ取り付けてもよい。
【００２８】
図３の(a) は本発明の他の実施形態である梯子装置１１の側面図、(b) は平面図、(c)
は正面図であり、図４は同梯子装置１１を折り畳んだ状態の側面図であり、図５の(a) は同梯子装置１１の伸縮脚を最小にした時の側面図、(b) はその正面図であり、図６の(a)
及び(b) は図３の(a) の矢印Ａで囲まれる部分の拡大図、(c) は(a) のＢ−Ｂ線拡大断面図である。この梯子装置１１は、梯子装置１と概ね同様であるが、掛止部材５の構造及び梯子２の形状が夫々梯子装置１と異なっており、従って異なった部分について以下に説明する。
【００２９】
即ち、この梯子装置１１の掛止部材５は、踏み板３の先端部の左右両側に設けられた左右一対の掛止フック１５，１５からなるもので、各掛止フック１５は、踏み板３の先端部から踏み板３と平行に先方へ突出する上杆部１５ａと、この上杆部１５ａの先端から下向き直角に延設された掛止用杆部１５ｂとによりＬ字状に形成されていて、踏み板３の先端部からの突出長さを調整できるように踏み板３の外側面に取り付けられている。
【００３０】
各掛止フック１５の取付構造を図６の(a) 〜(c) によって説明すると、踏み板３の左右各側板部３ａの先端側に、掛止フック１５の上杆部１５ａを固着したスライドブラケット１６を前後方向スライド可能に取り付け、各側板部３ａの先端側には前後２箇所にボルト挿通孔１７を穿設し、スライドブラケット１６にはその前後両端部に長孔１８を形成し、しかしてスライドブラケット１６の長孔１８から踏み板３の側板部３ａの各ボルト挿通孔１７にボルト１９を挿通し、その端部にナット２０を螺合するようにしたもので、ナット２０を緩めてスライドブラケット１６を後方へスライドさせると、図６の(a) に示すように、踏み板３の先端部からの掛止フック１５の突出長さが最短となり、またスライドブラケット１６を後方へスライドさせると、図６の(b) に示すように、掛止フック１５の突出長さが最長となり、しかしてナット２０を締め付けることによって掛止フック１５を夫々最短状態、最長状態に固定することができる。
【００３１】
尚、スライドブラケット１６は、その先端部の上下両端から内向きに突出するガイド片１６ｏ，１６ｏを有し、図６の(c) に示すように両ガイド片１６ｏ，１６ｏが踏み板３の上下両面部を支持案内するようになっている。
【００３２】
また梯子装置１１の梯子２は、図５の(b) から分かるように、互いに平行に配置された左右一対の側枠７，７に複数の踏杆８を横架してなる梯子本体２ａと、この梯子本体２ａの両側枠７，７に伸縮可能に取り付けられ、図示しないロック手段によって所要伸縮位置に固定可能な左右一対の伸縮脚９，９と、両伸縮脚９，９にスライド可能に取り付けられ、図示しないロック手段によって所要スライド位置に固定可能な可動ステップ２ｂとからなり、可動ステップ２ｂは、両伸縮脚９，９に外嵌された左右一対のスライド枠１３，１３と、両スライド枠１３，１３間に一体的に連結された踏杆１４とにより形成される。
【００３３】
図７の(a) は梯子装置１の使用状態を示す斜視図、(b) は梯子装置１１の使用状態を示す斜視図であり、また図８は梯子装置１の使用状態を示す斜視図である。図７の(a) の場合には、トラックＴのアオリ１２を倒してその基端部１２ａに梯子装置１の掛止部材５を嵌合掛止するようにしている。この場合は、地面Ｆに接地する伸縮脚９，９を適宜伸縮調整して図１の(a) に示すように踏み板３が水平に位置する状態で、掛止部材５を、倒したアオリ１２の基端部１２ａに嵌合掛止することによって、トラックＴ側に傾斜した梯子２は安定に保持された状態となり、従って誰かが保持してやることなく梯子２を昇降することができる。
【００３４】
また、この梯子装置１では、梯子２の上端部に踏み板３があるため、例えば梯子２を昇る時には、梯子２を昇り終えた後、踏み板３の上に両足を置くことができて、トラックＴの荷台上に安全に乗り移ることができ、また梯子２を下りる時も一旦踏み板３に乗ることによって、安全に下りるこができる。そしてまた、梯子２の上端部には踏み板３の上方へ突出する手掛り棒６が取り付けてあるから、踏み板３の上で手掛り棒６に手を掛けることによって、踏み板３から荷台上への乗り移りや、踏み板３から下降をより一層安全に行うことができる。
【００３５】
また、梯子装置１の掛止部材５は、踏み板３と同じ幅で踏み板３の先方へ突出する上板部５ａと、この上板部５ａの先端から下向き突出する掛止用板部５ｂとでＬ字板状に形成されたものであって、アオリ１２の基端部１２ａに掛止させた時、掛止部材５とトラックＴの荷台との間に隙間がほとんどできないため、使用時に靴等を引っ掛けるようなおそれがなく、使用上の一層の安全を図ることができる。
【００３６】
梯子装置１１の使用状態を示す図７の(b) の場合も、倒したアオリ１２の基端部１２ａに掛止部材５を掛止させるわけであるが、この梯子装置１１の場合は、掛止部材５が踏み板３先端部の左右両側に設けた左右一対の掛止フック１５，１５からなるため、両掛止フック１５，１５をアオリ１２の基端部１２ａに掛止部材５を掛止させればよい。この梯子装置１１の使用方法は、梯子装置１と全く同様である。
【００３７】
またこの梯子装置１１では、各掛止フック１５が、踏み板３の先端部からの突出長さを調整できるように踏み板３に取り付けられているから、アオリ１２への掛止具合を適宜に調整できると共に、アオリ１２の厚みが相当厚い場合にも的確に掛止でき、またトラックＴのアオリ１２以外に例えば塀やフェンス等の頂部に掛止させる場合に好適である。また、掛止フック１５が一対の掛止フック１５，１５からなるため、製作が容易でコストを安くできる利点がある。
【００３８】
図８は、トラックＴのアオリ１２を立てたままでこのアオリ１２の上端部１２ｂに梯子装置１の掛止部材５を掛止させた状態を示している。この場合は、地面Ｆからアオリ１２の上端までの高さが相当に高くなるが、梯子２の伸縮脚９を伸長させることによって容易に対応することができる。また図８は梯子装置１の使用状態を示したものであるが、梯子装置１１を使用して、この図８のようにアオリ１２の上端部１２ｂに梯子装置１１の掛止部材５を掛止させる場合、地面Ｆからアオリ１２の上端までの高さが相当高くなっても、梯子２の伸縮脚９を伸長させることにより容易に対応できると共に、可動ステップ２ｂを伸縮脚９，９に沿ってスライドさせることによって、踏杆１４の位置を任意の位置にセットできるから、伸縮脚９が長くなっても梯子２に乗り易く、使い勝手が良い。
【００３９】
図９は、複数の作業ステージ２１を前後左右に拡張配列して作業ステージ群を形成する場合に所要の作業ステージ２１に梯子装置１を使用する使用例を例示したものである。
【００４０】
即ち、各作業ステージ２１は、作業ステージ板２２とその左右両端に取り付けられた支持脚２３，２３とからなるもので、作業ステージ２１を前後及び左右に夫々間隔をおいて例えば４台並べ、前後の作業ステージ２１，２１の作業ステージ板２２，２２間に補助作業ステージ板２４を介在させ、左右の作業ステージ２１，２１の作業ステージ板２２，２２間、及び左右の補助作業ステージ板２４，２４間に補助作業ステージ板２５を介在させることによって、図示のような作業ステージ群を形成している。
【００４１】
しかして、これら複数の作業ステージ２１からなる作業ステージ群は、図示のように、左右両端側には支持脚２３はあるが、前後両端側、即ち長手方向両端側には支持脚２３がないため、この長手方向両端側からは昇降できないことになる。そこで、図示のように、作業ステージ群の長手方向一端側中央部にある補助作業ステージ板２５に、本発明に係る梯子装置１１を取り付けたもので、その取付状態を図１０に示す。
【００４２】
図１０に示すように、当該補助作業ステージ板２５の側部に梯子装置１１の梯子２を接地させ、踏み板３先端部の掛止部材５を構成する両側一対の掛止フック１５，１５を、補助作業ステージ板２５に設けられた孔２６に係入して取り付けたものである。この場合、掛止フック１５の掛止用杆部１５ｂを補助作業ステージ板２５の孔２６に係入させるが、この孔２６は特別に穿設しなくても、補助作業ステージ板２５がアルミ押出型材からなるものであれば、ステージ板２５の全域に亘り滑り止め用の孔２６が設けてあるため、その滑り止め用孔を利用することができる。
【００４３】
図１４〜図１７は、図３〜図５に示す実施形態と同じタイプの梯子装置５１を示すもので、図１４は梯子装置５１の正面図、図１５は図１４の矢印Ｃで囲まれる部分の拡大図、図１６の(a) は図１４の矢印Ｄで囲まれる部分の拡大図、(b) は同部分の側面図、(c) は同部分の底面図であり、図１７の(a) は伸縮脚９の拡大正面図、(b) は側面図、(c) は平面図である。
【００４４】
この梯子装置５１は図３〜図５に示した梯子装置１１と殆ど同様であるが、ここでは、梯子本体２ａの両側枠７，７に伸縮可能に取り付けられた左右一対の伸縮脚９，９を所要伸縮位置に固定するためのロック手段Ｌ１と、両伸縮脚９，９にスライド可能に取り付けられた可動ステップ２ｂを所要スライド位置に固定するためのロック手段Ｌ２について具体的に示したものである。
【００４５】
先ず、この梯子装置５１の梯子２は、左右一対の側枠７，７に複数の踏杆８を横架してなる梯子本体２ａと、この梯子本体２ａの両側枠７，７に伸縮可能に取り付けられ、ロック手段Ｌ１によって所要伸縮位置に固定可能な左右一対の伸縮脚９，９と、両伸縮脚９，９にスライド可能に取り付けられ、ロック手段Ｌ２によって所要スライド位置に固定可能な可動ステップ２ｂとからなるもので、可動ステップ２ｂは、両伸縮脚９，９に外嵌された左右一対のスライド枠１３，１３と、両スライド枠１３，１３間に一体的に連結された踏杆１４とによって形成されている。尚、この実施形態では、可動ステップ２ｂは、一つしか設けていないが、複数設けてもよい。
【００４６】
梯子本体２ａの両側枠７，７は夫々角筒状に形成されたもので、各角筒状側枠７にはこれより径小の角筒状に形成された伸縮脚９がスライド可能に嵌挿され、そして各伸縮脚９には、図１７に示すように、その直径方向に貫通するピン孔９ａが長さ方向一定ピッチで設けられている。また、可動ステップ２ｂのスライド枠１３は、角筒状の伸縮脚９にスライド可能に外嵌し得る角筒状に形成されている。
【００４７】
ロック手段Ｌ１は、図１５に示すように、最下段側踏杆８の下面の左右両端部側にブラケット７４，７４を取り付け、両ブラケット７４，７４には、夫々ピン本体部４８の一端に把手部４９を垂直に突設してなる左右一対の横向きＬ字状ロックピン５０，５０のピン本体部４８，４８を夫々左右方向移動可能に支持させると共に、両ピン本体部４８，４８の夫々先端部４８ａ，４８ａを梯子本体２ａの両側枠７，７内に突入可能とし、各ロックピン５０とブラケット７４との間には、ピン本体部４８の先端部４８ａが梯子本体２ａの側枠７内に突入するように付勢するコイルバネＷを介装し、しかして両ロックピン５０，５０の両把手部４９，４９を把持して最下段側踏杆８の中央部側へ引き寄せることにより、両ピン本体部４８，４８の先端部４８ａ，４８ａを夫々梯子本体２ａの側枠７，７から引き抜いた状態とし、また両把手部４９，４９の把持を解放することにより、夫々コイルバネＷの付勢力で両ピン本体部４８，４８の先端部４８ａ，４８ａを梯子本体２ａの側枠７，７内に突入させると共に、両側枠７，７に嵌挿された伸縮脚９，９の夫々の所要のピン孔９ａ，９ａに挿通させて、両伸縮脚９，９を固定するようにしたものである。
【００４８】
可動ステップ２ｂを伸縮脚９，９上の所要スライド位置に固定するロック手段Ｌ２は、上述したロック手段Ｌ１と同様な構成からなるもので、図１６から分かるように、可動ステップ２ｂの踏杆１４の下面の左右両端部側にブラケット７４，７４を取り付け、両ブラケット７４，７４には、夫々ピン本体部４８の一端に把手部４９を垂直に突設してなる左右一対の横向きＬ字状ロックピン５０，５０のピン本体部４８，４８を夫々左右方向移動可能に支持させると共に、両ピン本体部４８，４８の夫々先端部４８ａ，４８ａを梯子本体２ａの両側枠７，７内に突入可能とし、各ロックピン５０とブラケット７４との間に、ピン本体部４８の先端部４８ａが可動ステップ２ｂのスライド枠１３内に突入するように付勢するコイルバネＷを介装し、しかして両ロックピン５０，５０の両把手部４９，４９を把持して踏杆１４の中央部側へ引き寄せることにより、両ピン本体部４８，４８の先端部４８ａ，４８ａを夫々可動ステップ２ｂのスライド枠１３，１３から引き抜いた状態とし、また両把手部４９，４９の把持を解放することによって、夫々コイルバネＷの付勢力で両ピン本体部４８，４８の先端部４８ａ，４８ａを可動ステップ２ｂのスライド枠１３，１３内に突入させると共に、両スライド枠１３，１３に嵌挿された伸縮脚９，９の夫々の所要のピン孔９ａ，９ａに挿通させて、可動ステップ２ｂを伸縮脚９，９上の所要スライド位置に固定するようにしたものである。
【００４９】
図１４に示した梯子装置５１を使用して、図８に示すようにトラックｔのアオリ１２の上端部１２ｂに掛止部材５を掛止させる場合、地面Ｆからアオリ１２の上端までの高さが相当高くなっても、またその高さがトラックの車種によって夫々異なっても、梯子２の伸縮脚９を伸長させることにより容易に対応できると共に、可動ステップ２ｂを伸縮脚９，９に沿ってスライドさせることによって、踏杆１４の位置を任意の位置にセットできる、つまり梯子本体２ａの両側枠７，７下端から延びた伸縮脚９，９の長さ方向中間部に踏杆１４を固定できるから、梯子に乗り易く、伸縮脚９，９を有効に使用できる。また、この場合、伸縮脚９，９に複数の可動ステップ２ｂを取り付けるようにすれば、伸縮脚９，９の長さが長い場合でも、複数の踏杆１４が取り付けられることになるから、伸縮脚９，９をより有効に且つ安全に使用できる。
【００５０】
また、上述のようなロック手段Ｌ１によれば、左右両伸縮脚９，９を梯子本体２ａの左右両側枠７，７に対し所要伸縮位置に簡単容易に固定でき、またロック手段Ｌ２によれば、可動ステップ２ｂを左右両伸縮脚９，９に対し所要スライド位置に簡単容易に固定できる。
【図面の簡単な説明】
【００５１】
【図１】(a) は本発明の一実施形態である梯子装置１の側面図、(b) はその平面図である。
【図２】(a) は同梯子装置１の正面図、(b) は同梯子装置１を折り畳んだ状態の側面図である。
【図３】(a) は本発明の他の実施形態である梯子装置１１の側面図、(b) は平面図、 (c)は正面図である。
【図４】同梯子装置１１を折り畳んだ状態の側面図である。
【図５】(a) は同梯子装置１１の伸縮脚を最小にした時の側面図、(b) は正面図である。
【図６】(a) 及び(b) は図３の(a) の矢印Ａで囲まれる部分の拡大図、(c) は(a) のＢ−Ｂ線拡大断面図である。
【図７】(a) は梯子装置１の使用状態を示す斜視図、(b) は梯子装置１１の使用状態を示す斜視図である。
【図８】梯子装置１の使用状態を示す斜視図である。
【図９】作業ステージを前後左右に拡張配列して作業ステージ群を形成する場合に梯子装置１を使用する使用例を示す平面図である。
【図１０】同作業ステージ群の所要位置に梯子装置１１の掛止フックを取り付ける取付状態を示す側面断面図である。
【図１１】連結金具の構造を示す斜視図である。
【図１２】(a) は手掛り棒の伸展状態の要部側面図、(b) は手掛り棒の折り畳み状態の要部側面図である。
【図１３】手掛り棒の回転式取付金具及び回転軌跡矯正手段の分解斜視図である。
【図１４】本発明に係る他の梯子装置の正面図である。
【図１５】図１４の矢印Ｃで囲まれる部分の拡大図である。
【図１６】(a) は図１４の矢印Ｄで囲まれる部分の拡大図、(b) は同部分の側面図、 (c)は同部分の底面図である。
【図１７】(a) は伸縮脚の拡大正面図、(b) は側面図、(c) は平面図である。
【符号の説明】
【００５２】
１，１１        梯子装置
２              梯子
２ａ            梯子本体
２ｂ            可動ステップ
３              踏み板
４              連結金具
５              掛止部材
５ａ            上板部
５ｂ            掛止用板部
６              手掛り棒
７              側枠
９              伸縮脚
Ｌ１            ロック手段
Ｌ２            ロック手段
１２            アオリ
１５            掛止フック
１５ａ          上杆部
１５ｂ          掛止用杆部
２１            作業ステージ
【図１】
2006249871.tif 000003
【図２】
2006249871.tif 000004
【図３】
2006249871.tif 000005
【図４】
2006249871.tif 000006
【図５】
2006249871.tif 000007
【図６】
2006249871.tif 000008
【図７】
2006249871.tif 000009
【図８】
2006249871.tif 000010
【図９】
2006249871.tif 000011
【図１０】
2006249871.tif 000012
【図１１】
2006249871.tif 000013
【図１２】
2006249871.tif 000014
【図１３】
2006249871.tif 000015
【図１４】
2006249871.tif 000016
【図１５】
2006249871.tif 000017
【図１６】
2006249871.tif 000018
【図１７】
2006249871.tif 000019